(57)【要約】【課題】本発明は、メモリーカード用コネクタに関し、軽薄短小でカード形状の似通ったものを確実に振り分けて装着させ、また、逆差しを防止することが課題である。        【解決手段】２種類のメモリーカードを装着できるコネクタであって、当該コネクタにおける挿入口側の側壁に、前記２種類のメモリーカードのうち第１メモリーカードを下側に誘導し第２メモリーカードを下側に誘導するとともに該第２メモリーカードによって側壁内に退避される第１カード押さえ部材５と、前記第１メモリーカードの上面を位置規制すると共に前記第２メモリーカードによって側壁内に退避される第２カード押さえ部材６とが設けられて構成されており、前記第２カード押さえ部材６の挿入口側の側壁面が、前記第１及び第２のメモリーカードが表裏を逆にして逆挿入された場合に、そのメモリーカードの先端部の片側部分に当接して逆挿入を防止する当接面になっているメモリーカード用コネクタ１とする。【選択図】図１
2006049239.tif 000002
【特許請求の範囲】
【請求項１】
２種類のメモリーカードを装着できるコネクタであって、当該コネクタにおける挿入口側の側壁に、
前記２種類のメモリーカードのうち第１メモリーカードを下側に誘導し第２メモリーカードを下側に誘導するとともに該第２メモリーカードによって側壁内に退避される第１カード押さえ部材と、
前記第１メモリーカードの上面を位置規制すると共に前記第２メモリーカードによって側壁内に退避される第２カード押さえ部材とが設けられて構成されており、
前記第２カード押さえ部材の挿入口側の側壁面が、前記第１及び第２のメモリーカードが表裏を逆にして逆挿入された場合に、そのメモリーカードの先端部の片側部分に当接して逆挿入を防止する当接面になっていること、
を特徴とするメモリーカード用コネクタ。
【請求項２】
第２カード押さえ部材の配置位置は、第１メモリーカードの先端面から全幅部分始点位置までの最短距離とほぼ同じかそれ以上の距離で、挿入口から奥行き方向に配置されていること、
を特徴とする請求項１に記載のメモリーカード用コネクタ。
【請求項３】
第１カード押さえ部材の配置位置は、コネクタに装着完了された状態の第１メモリーカードの側壁の凹部に係合する位置であること、
を特徴とする請求項１に記載のメモリーカード用コネクタ。
【請求項４】
第１メモリーカードと第２メモリーカードとの先端部の外形状の相違部分に対応した位置に置いて、前記第２メモリーカードのみを上側に持ち上げる傾斜誘導面がコネクタの底部に設けられていること、
を特徴とする請求項１乃至３のいずれかに記載のメモリーカード用コネクタ。
【発明の詳細な説明】
【技術分野】
【０００１】
本発明は、例えば、複数種類のメモリーカードを一つのコネクタで収納するメモリーカード用コネクタに関するものである。
【背景技術】
【０００２】
従来、例えば、携帯電話、若しくは、電子辞書やＰＤＡ等に使用されるメモリーカードを、これらの電子機器に装着するための、機器筐体に備えられたメモリーカード用コネクタがある。そして、前記メモリーカードの需要が増大しその種類が増えるに従い、一つのメモリーカード用コネクタに２種類のメモリーカードを装着するようになり、例えば、メモリーカードの形状が異なることを利用して、カード挿入ガイド溝を別々に用意するようにしたカード用コネクタ装置が知られている（特許文献１参照）。
【特許文献１】特開２００３−３１２８４号公報
【発明の開示】
【発明が解決しようとする課題】
【０００３】
しかし、当初のメモリーカード用コネクタでは、形状に大きな相違があり、収納場所の容量にも余裕があったが、電子機器の軽薄短小化が進行するにつれてメモリーカードを小さくして、厚みも薄くしなければならない。しかも、メモリーカードがますます小型化することで、当該メモリーカードの形状において、奥行き方向の長さは大きく異なるものの、幅が全く同じで、厚さがほぼ同じ若しくは若干の違いしかない場合がある。例えば、ｍｉｎｉＳＤ（従来のＳＤカードを更に小型化したもの、形状：縦２１．５、横２０．０、厚さ１．４ｍｍ）と、メモリースティックＤｕｏ（登録商標、形状：縦３１．０、横２０．０、厚さ１．６ｍｍ）とである場合、横幅が全く同じで、厚さもわずかに０．２ｍｍしか違わない。
【０００４】
このように、著しい小型化によって形状の相違が少なくなってきており、メモリーカードの厚さや横幅の違いを利用して、カードの種類を選択していた従来の手法によるコネクタでは適応できないので、一つのカード用コネクタに、２種類のメモリーカードを装着する場合に、更なる工夫が必要となる。
【課題を解決するための手段】
【０００５】
本発明に係るメモリーカード用コネクタの上記課題を解決して目的を達成するための要旨は、 ２種類のメモリーカードを装着できるコネクタであって、当該コネクタにおける挿入口側の側壁に、前記２種類のメモリーカードのうち第１メモリーカードを下側に誘導し第２メモリーカードを下側に誘導するとともに該第２メモリーカードによって側壁内に退避される第１カード押さえ部材と、前記第１メモリーカードの上面を位置規制すると共に前記第２メモリーカードによって側壁内に退避される第２カード押さえ部材とが設けられて構成されており、前記第２カード押さえ部材の挿入口側の側壁面が、前記第１及び第２のメモリーカードが表裏を逆にして逆挿入された場合に、そのメモリーカードの先端部の片側部分に当接して逆挿入を防止する当接面になっていることである。
【０００６】
また、前記第２カード押さえ部材の配置位置は、第１メモリーカードの先端面から全幅部分始点位置までの最短距離とほぼ同じかそれ以上の距離で、挿入口から奥行き方向に配置されていること、；
更に、前記第１カード押さえ部材の配置位置は、コネクタに装着完了された状態の第１メモリーカードの側壁の凹部に係合する位置であること、；
前記第１メモリーカードと第２メモリーカードとの先端部の外形状の相違部分に対応した位置に置いて、前記第２メモリーカードのみを上側に持ち上げる傾斜誘導面がコネクタの底部に設けられていること、；
を含むものである。
【発明の効果】
【０００７】
本発明のメモリーカード用コネクタによれば、第１カード押さえ部材と第２カード押さえ部材とにより、挿入される２種類のメモリーカードが上下方向に振り分けられ、更に、カードの形状に大きな相違がないメモリーカードであっても、カードの表裏を逆に差し込まれた場合にその誤挿入を防止することができる。  
【０００８】
第２カード押さえ部材が、第１メモリーカードの先端面から全幅部分始点位置までの最短距離とほぼ同じかそれ以上の距離で、挿入口から奥行き方向に配置されるので、第１メモリーカードの先端部における全幅が挿入口に挿入された時に、当該第１メモリーカードが逆差しとなって第２カード押さえ部材の側壁面に当接するようになる。
【０００９】
前記第１カード押さえ部材の配置位置は、コネクタに装着完了された状態の第１メモリーカードの側壁の凹部に係合する位置であるので、コネクタに第１メモリーカードが装着されて装着完了すると、ロックされて安定して保持される。この第１メモリーカードは、コネクタに対する挿入量が少ないので、このロック作用で安定保持されるものである。
【００１０】
第１メモリーカードと第２メモリーカードとの先端部の外形状の相違部分に対応した位置において、前記第２メモリーカードのみを上側に持ち上げる傾斜誘導面がコネクタの底部に設けられているので、第１メモリーカードと第２メモリーカードとの先端部の外形状の相違により、第１メモリーカードよりも奥まで差し込む第２メモリーカードを上側に移動させることができる。また、前記第１メモリーカードに対しては、前記傾斜誘導面の下部が、形状の異なる部分の一部に係合してカード押さえとなっている。
【発明を実施するための最良の形態】
【００１１】
本発明に係るメモリーカード用コネクタ１は、シェル（天板）を外して示す平面図である図１（Ａ）に示すように、例えば、ｍｉｎｉＳＤと、メモリースティックＤｕｏ（登録商標）との２種類のメモリーカード９，１０（図３参照）を装着できる、合成樹脂製の本体２及びコンタクト１１，１２と、金属製シェル（図示せず）と、イジェクト機構（図示せず）とでなるコネクタである。
【００１２】
前記コネクタ１における本体２の挿入口側の側壁３，４に、前記２種類のメモリーカードのうち第１メモリーカードを下側に誘導し第２メモリーカードを下側に誘導するとともに該第２メモリーカードによって側壁内に退避される合成樹脂製の第１カード押さえ部材５と、前記第１メモリーカードの上面を位置規制すると共に前記第２メモリーカードによって側壁内に退避される合成樹脂製の第２カード押さえ部材６とが設けられている。
【００１３】
前記カード押さえ部材５，６は、側壁３，４に上面側と内部空間側に開口させて設けてある凹部２ａ，２ｂに収納され、弾性部材（例えば、コイルバネ）７，８で常に内部空間側へ突出するように付勢されている。
【００１４】
また、前記カード押さえ部材５，６の形状は、図２に示すように、挿入されたメモリーカードの角部を下側に誘導するテーパ状の誘導部５ａ，６ａと、カードが上に持ち上げられないようにするカード押さえ部５ｂ，６ｂと、前記凹部２ａ，２ｂから抜け出ないようにする抜止め部５ｃ，６ｃとがある。また、第２カード押さえ部材６には、逆挿入防止用の側壁面６ｄが前面側に大きく設けれている。
【００１５】
前記第１カード押さえ部材５の配置位置は、コネクタ１に装着完了された状態の図３（Ａ）に示す第１メモリーカード９の側壁の凹部９ａに係合する位置である。この凹部９ａに、前記第１カード押さえ部材５の突出部が係合して、ロック作用するものである。
【００１６】
また、前記第２カード押さえ部材６の配置位置は、コネクタ１の前後方向において、前記第１カード押さえ部材５と対向する位置にはなく、図３（Ａ）に示す第１メモリーカード９の先端面９ｂから全幅部分始点位置９ｃまでの最短距離ａとほぼ同じかそれ以上の距離で、コネクタ１の挿入口から奥行き方向（後方）に配置されている。
【００１７】
これは、第１メモリーカード９が、カード表裏を逆にして挿入口に差し込まれた場合に、このカード先端部分の幅が細くなっているので、当該先端部分が挿入口に入った状態では前後方向に対して斜めに傾いたり左右方向にずれたりするおそれがあり、当該カードの全幅部分がコネクタ１に挿入されて前後方向と平行にカードが移動するようになった状態で、逆挿入を防止するためである。
【００１８】
前記本体２において、図３に示す第１メモリーカード９と第２メモリーカード１０との先端部の外形状の相違部分に対応した位置において、前記第２メモリーカード１０のみを上側に持ち上げる傾斜誘導面２ｃが、図１に示すように、底部に設けられている。この傾斜誘導面２ｃが、コネクタ１の左側側壁に設けられているのは、前記第１メモリーカード９のカット部分９ｄ（図３（Ａ）参照）に納めるためである。よって、この傾斜誘導面２ｃには、第２メモリーカード１０の側縁部が乗り上げるようになる。
【００１９】
また、図１（Ａ），（Ｂ）に示すように、前記傾斜誘導面２ｃの傾斜途中から右方向に突出する突起２ｄが設けられ、第１メモリーカード９の先端部における側壁部９ｅに係合して、上に当該カード９が持ち上がらないように位置規制して押さえる作用をする。
【００２０】
前記本体２には、図１に示すように、前後方向において、前側に第１メモリーカード用のコンタクト１１が、左右方向に複数配設され、後方側に第２メモリーカード用のコンタクト１２が左右方向に複数配設されている。このコンタクト１１，１２の一端部１１ａ，１２ａは、プリント基板（図示せず）の回路端子に半田付けされる。
【００２１】
以上のような構成にシェルを取り付けてメモリーカード用コネクタ１が構成され、その使用方法について説明する。このコネクタ１に第メモリーカード９を装着させる場合を説明する。図４乃至図５に示すように、挿入口から第１メモリーカード９の先端部を差込み、該カード９の片側角部が、内部区間に突出している第１カード押さえ部材５の誘導部５ａに当接する。すると、この誘導部５ａにより上側から下側に移動される。
【００２２】
更に前記カード９が後方に押し込まれると、図６乃至図７に示すように、下側に移動したカード９が、カード押さえ部材５，６のカード押さえ部５ｂ，６ｂにより押さえられながら進み、カード９の先端部における側壁部９ｅが突起２ｄに係合してその下に潜り込む。
【００２３】
こうして、図７に示すように、カード９は、その先端部を前記カード押さえ部材５，６と突起２ｄとにより上に持ち上げられないように、位置規制されて装着されるものである。また、カード９の凹部９ａに第１カード押さえ部材５が係合して前後方向の移動をロックしている。こうして、装着が完了し、第１メモリーカード９のコンタクトがコネクタ１側のコンタクト１１と当接して電気的接続がなされるものである。
【００２４】
このカード９の装着の様子を斜め上から見た様子を示めしたのが図８乃至図１０であり、その逆方向から示したのが図１１である。          
【００２５】
次に、第２メモリーカード１０をメモリーカード用コネクタ１に装着する様子を説明する。図１２乃至図１３に示すように、前後方向に長い第２メモリーカード１０をコネクタ１の挿入口から差し込む。この第２メモリーカード１０は、先端部の左側角部がＲ形状になっていて、先端部の一部の厚みが薄くなっていて段になっている。
【００２６】
図１３に示すように、第２メモリーカード１０の先端部が、カード押さえ部材５，６に当接する。そこで、誘導部５ａ，６ａの作用により上下方向で下に誘導される（図１３（Ｂ）参照）。また、第１カード押さえ部材５は、前記カード１０の側壁に押圧されて、弾性部材７の付勢力に抗して押し込まれて凹部２ａ内に退避する。
【００２７】
更に、前記第２メモリーカード１０を後方に押し込むと、図１３に示すように、コネクタ１の左側の第２カード押さえ部材６の下から始まる傾斜誘導面２ｃに当該カード１０のＲ角部１０ａが乗り上げる。
【００２８】
そして、図１４に示すように、第２カード押さえ部材６を弾性部材８の付勢力に抗して凹部２ｂ内に退避させて、前記カード１０の先端部が上方に移動して奥に進む。図１５に示すように、当該カード１０の先端部のコンタクトがコネクタ１側のコンタクト１２に各々当接して電気的に接続される。こうして、第２メモリーカード１０は、コネクタ１の第１メモリーカード用のコンタクト１１の上を通り抜けて、傾斜誘導面２ｃにより上側に移動させられて、奥まで差し込まれ装着されるものである。
【００２９】
図１６乃至図１７は、前記第２メモリーカード１０の装着の様子を斜め上方から見た様子を示すものである。
【００３０】
本発明に係るメモリーカード用コネクタ１において、逆差し防止機構について説明する。例えば、第１メモリーカード９の表裏を逆にした逆差しの場合は、図１８に示すように、当該カード９のカット部分９ｄがコネクタ１における内部空間の右側に位置し、カード９の左側の角部９ｆが、側壁４に沿って進入する。前記カット部分９ｄがあることで、第１カード押さえ部材５に当接せず、カード９が下に導かれることもない。
【００３１】
そして、前記カード９の全幅部分始点位置９ｃが挿入口に入ると、カード９は斜めに偏ることなく、前記角部９ｆが側壁４に確実に沿って移動する。第２カード押さえ部材６の配置位置は、コネクタ１の前後方向において、第１メモリーカード９の先端面９ｂから全幅部分始点位置９ｃまでの最短距離ａとほぼ同じかそれ以上の距離で、コネクタ１の挿入口から奥行き方向に配置されているので、その後、角部９ｆが第２カード押さえ部材６の側壁面６ｄに当接する。側壁面６ｄは、凹部２ｂから突出した垂直壁なので、これに当接したカード９は、それ以上奥行き方向に進入できない。
【００３２】
また、図１９に示すように、第２メモリーカード１０の表裏逆にした逆差しの場合にも、このカード１０の角部が、前記第２カード押さえ部材６の側壁面６ｄに当接して、それ以上の進入が阻止されるものである。このとき、第１カード押さえ部材５は、カード１０のＲ角部と当接していないか、若しくは、カード１０の側壁で凹部２ａ内に退避されているかである。
【図面の簡単な説明】
【００３３】
【図１】本発明に係るメモリーカード用コネクタ１の、平面図（Ａ）と、Ａ−Ａ線に沿った断面図（Ｂ）である。
【図２】同本発明に係るメモリーカード用コネクタ１の、第１カード押さえ部材５の斜視図（Ａ）、同第２カード押さえ部材６の斜視図（Ｂ）である。
【図３】第１メモリーカード９の概略平面図（Ａ）、第２メモリーカード１０の概略平面図（Ｂ）である。
【図４】本発明のメモリーカード用コネクタ１に第１メモリーカード９を装着する様子を示す説明図である。
【図５】本発明のメモリーカード用コネクタ１に第１メモリーカード９を装着する様子を示す説明図である。
【図６】本発明のメモリーカード用コネクタ１に第１メモリーカード９を装着する様子を示す説明図である。
【図７】本発明のメモリーカード用コネクタ１に第１メモリーカード９を装着する様子を示す説明図である。
【図８】本発明のメモリーカード用コネクタ１に第１メモリーカード９を装着する様子を示す斜視図である。
【図９】本発明のメモリーカード用コネクタ１に第１メモリーカード９を装着する様子を示す斜視図である。
【図１０】本発明のメモリーカード用コネクタ１に第１メモリーカード９を装着する様子を示す斜視図である。
【図１１】本発明のメモリーカード用コネクタ１に第１メモリーカード９を装着する様子を示す斜視図である。
【図１２】本発明のメモリーカード用コネクタ１に第２メモリーカード１０を装着する様子を示す平面図（Ａ）と、断面図（Ｂ）とである。
【図１３】本発明のメモリーカード用コネクタ１に第２メモリーカード１０を装着する様子を示す平面図（Ａ）と、断面図（Ｂ）とである。
【図１４】本発明のメモリーカード用コネクタ１に第２メモリーカード１０を装着する様子を示す平面図（Ａ）と、断面図（Ｂ）とである。
【図１５】本発明のメモリーカード用コネクタ１に第２メモリーカード１０を装着する様子を示す平面図（Ａ）と、断面図（Ｂ）とである。
【図１６】本発明のメモリーカード用コネクタ１に第２メモリーカード１０を装着する様子を示す斜視図である。
【図１７】本発明のメモリーカード用コネクタ１に第２メモリーカード１０を装着する様子を示す斜視図である。
【図１８】本発明のメモリーカード用コネクタ１に第１メモリーカード９を逆差しした場合に、それを防止する様子を示す平面図である。
【図１９】本発明のメモリーカード用コネクタ１に第１メモリーカード１０を逆差しした場合に、それを防止する様子を示す平面図である。
【符号の説明】
【００３４】
１          メモリーカード用コネクタ、
２          本体、                        ２ａ，２ｂ        凹部、
２ｃ        傾斜誘導面、                  ２ｄ              突起、
３          側壁、
４          側壁、
５          第１カード押さえ部材、        ５ａ              誘導部、
５ｂ        カード押さえ部、              ５ｃ              抜止め部、  
６          第２カード押さえ部材、        ６ａ              誘導部、
６ｃ        抜止め部、                    ６ｄ              側壁面、
７，８      弾性部材、
９          第１メモリーカード、          ９ａ              凹部、
９ｂ        先端面、                      ９ｃ              全幅部分始点位置、
９ｄ        カット部分、                  ９ｅ              側壁部、
１０        第２メモリーカード、
１１，１２  コンタクト、                  １１ａ，１２ａ    一端部。
【図１】
2006049239.tif 000003
【図２】
2006049239.tif 000004
【図３】
2006049239.tif 000005
【図４】
2006049239.tif 000006
【図５】
2006049239.tif 000007
【図６】
2006049239.tif 000008
【図７】
2006049239.tif 000009
【図８】
2006049239.tif 000010
【図９】
2006049239.tif 000011
【図１０】
2006049239.tif 000012
【図１１】
2006049239.tif 000013
【図１２】
2006049239.tif 000014
【図１３】
2006049239.tif 000015
【図１４】
2006049239.tif 000016
【図１５】
2006049239.tif 000017
【図１６】
2006049239.tif 000018
【図１７】
2006049239.tif 000019
【図１８】
2006049239.tif 000020
【図１９】
2006049239.tif 000021